(57)【要約】【課題】従来よりも浄化器の寿命を伸長させることができる浄化器を提供することが目的である。【解決手段】浄化器１０は、入口部２２及び出口部２４を有する容器１２と、容器１２の内部に充填され、入口部２２と出口部２４との間に配置された浄化剤１４と、浄化剤１４における入口部２２側の端部１４Ａと出口部２４側の端部１４Ｂとの間に配置されると共に、容器１２の周壁部１７から容器１２の内側に突出し、且つ、容器１２の周方向に沿って設けられた偏流抑制板１６とを備えている。【選択図】図１
2015136656.tif 000002
【特許請求の範囲】
【請求項１】
入口部及び出口部を有する容器と、
前記容器の内部に充填され、前記入口部と前記出口部との間に配置された浄化剤と、
前記浄化剤における前記入口部側の端部と前記出口部側の端部との間に配置されると共に、前記容器の周壁部から前記容器の内側に突出し、且つ、前記容器の周方向に沿って設けられた偏流抑制部と、
を備えた浄化器。
【請求項２】
前記偏流抑制部は、前記容器の周方向に沿って環状に延びている、
請求項１に記載の浄化器。
【請求項３】
前記偏流抑制部は、前記容器の内部における流体の流れの方向に間隔を空けて複数設けられている、
請求項１又は請求項２に記載の浄化器。
【請求項４】
前記偏流抑制部は、前記容器の内部における流体の流れの方向を板厚方向とする板状に形成されている、
請求項１〜請求項３のいずれか一項に記載の浄化器。
【請求項５】
前記偏流抑制部は、前記容器と別体とされている、
請求項１〜請求項４のいずれか一項に記載の浄化器。
【請求項６】
前記偏流抑制部は、前記容器と一体に形成されている、
請求項１〜請求項４のいずれか一項に記載の浄化器。
【請求項７】
前記偏流抑制部は、前記浄化剤を通過する流体の流速分布が均一になるように、前記容器の周壁部からの突出量が設定されている、
請求項１〜請求項６のいずれか一項に記載の浄化器。
【発明の詳細な説明】
【技術分野】
【０００１】
本発明は、浄化器に関する。
【背景技術】
【０００２】
従来、入口部及び出口部を有する容器と、容器の内部に充填された脱硫剤とを備えた脱硫器が知られている（例えば、特許文献１，２参照）。この脱硫器では、容器の内部を入口部から出口部へ流れる気体と脱硫剤との間で脱硫反応が行われる。
【先行技術文献】
【特許文献】
【０００３】
【特許文献１】特許第４６１３０２２号公報
【特許文献２】特開２０１２−１４９１１７号公報
【発明の概要】
【発明が解決しようとする課題】
【０００４】
しかしながら、上述の脱硫器を含む従来の浄化器において、例えば浄化剤として粒状剤が用いられることにより容器の周壁部と浄化剤との間に隙間が形成されると、容器の内部においては容器の周壁部側（外径側）の方が容器の中心側よりも流体が流れやすくなる（流通抵抗が低くなる）。このため、容器の周壁部側の方が容器の中心側よりも流速が高くなり、容器の内部において偏流が生じる虞がある。
【０００５】
また、このように容器の内部において偏流が生じると、容器の中心側よりも容器の周壁部側において浄化剤による浄化反応が促進される。この場合、容器の周壁部側において浄化剤による浄化反応がされなくなったタイミング（破過したタイミング）で浄化器が寿命を迎えるので、本来の性能から期待されるよりも浄化器の寿命が短くなる虞がある。
【０００６】
そこで、本発明は、寿命を伸長させることができる浄化器を提供することを目的とする。
【課題を解決するための手段】
【０００７】
上記目的を達成するために、請求項１に記載の浄化器は、入口部及び出口部を有する容器と、前記容器の内部に充填され、前記入口部と前記出口部との間に配置された浄化剤と、前記浄化剤における前記入口部側の端部と前記出口部側の端部との間に配置されると共に、前記容器の周壁部から前記容器の内側に突出し、且つ、前記容器の周方向に沿って設けられた偏流抑制部と、を備えている。
【０００８】
この浄化器によれば、浄化剤における入口部側の端部と出口部側の端部との間には、偏流抑制部が配置されている。この偏流抑制部は、容器の周壁部から容器の内側に突出すると共に、容器の周方向に沿って設けられている。従って、この偏流抑制部によって容器の周壁部側（外径側）における流体の流れを抑制することができるので、容器の周壁部側における流体の流速を容器の中心側における流体の流速に近づけることができる。これにより、容器の内部における偏流を抑制することができるので、容器の周壁部側と中心側とで同様に浄化剤による浄化反応を行わせることができる。この結果、偏流抑制部を備えない従来の浄化器よりも浄化器の寿命を伸長させることができる。
【０００９】
請求項２に記載の浄化器は、請求項１に記載の浄化器において、前記偏流抑制部が、前記容器の周方向に沿って環状に延びる構成とされている。
【００１０】
この浄化器によれば、偏流抑制部は、容器の周方向に沿って環状に延びている。従って、容器の周方向に亘って容器の周壁部側における流体の流れを抑制することができる。これにより、容器の内部における偏流をより効果的に抑制することができる。
【００１１】
請求項３に記載の浄化器は、請求項１又は請求項２に記載の浄化器において、前記偏流抑制部が、前記容器の内部における流体の流れの方向に間隔を空けて複数設けられた構成とされている。
【００１２】
この浄化器によれば、偏流抑制部は、容器の内部における流体の流れの方向に間隔を空けて複数設けられている。従って、この流体の流れの方向の複数の位置で容器の周壁部側における流体の流れを偏流抑制部により抑制することができる。これにより、容器の内部における流体の流れの方向に亘って容器の内部における偏流を抑制することができる。
【００１３】
請求項４に記載の浄化器は、請求項１〜請求項３のいずれか一項に記載の浄化器において、前記偏流抑制部が、前記容器の内部における流体の流れの方向を板厚方向とする板状に形成された構成とされている。
【００１４】
この浄化器によれば、偏流抑制部は、容器の内部における流体の流れの方向を板厚方向とする板状に形成されている。従って、偏流抑制部の設置スペースが容器の内部における流体の流れの方向に拡がることを抑制することができる。これにより、流体の流れの方向に容器が大型化することを抑制することができる。また、容器の周壁部に沿って流れる流体が板状の偏流抑制部に当たった場合には、この流体が容器の周壁部から剥離し、容器の周壁部側を流れる流体の流量が抑えられる。これにより、浄化剤を通過する流体の流速分布を均一に近づけることができる。
【００１５】
請求項５に記載の浄化器は、請求項１〜請求項４のいずれか一項に記載の浄化器において、前記偏流抑制部が、前記容器と別体とされた構成とされている。
【００１６】
この浄化器によれば、偏流抑制部は、容器と別体とされているので、容器の製造を容易にすることができる（偏流抑制部を含む容器の製造が複雑化することを抑制することができる）。
【００１７】
請求項６に記載の浄化器は、請求項１〜請求項４のいずれか一項に記載の浄化器において、前記偏流抑制部が、前記容器と一体に形成された構成とされている。
【００１８】
この浄化器によれば、偏流抑制部は、容器と一体に形成されているので、部品点数の増加を抑制することができると共に、製造工程の増加を抑制することができる。
【００１９】
請求項７に記載の浄化器は、請求項１〜請求項６のいずれか一項に記載の浄化器において、前記偏流抑制部が、前記浄化剤を通過する流体の流速分布が均一になるように、前記容器の周壁部からの突出量が設定された構成とされている。
【００２０】
この浄化器によれば、偏流抑制部は、浄化剤を通過する流体の流速分布が均一になるように、容器の周壁部からの突出量が設定されている。これにより、浄化剤の全体を使い切ることができるので、浄化器の寿命をより効果的に伸長させることができる。
【発明の効果】
【００２１】
以上詳述したように、本発明によれば、浄化器の寿命を伸長させることができる。
【図面の簡単な説明】
【００２２】
【図１】本発明の一実施形態に係る浄化器の斜視図である。
【図２】図１に示される浄化器の縦断面図である。
【図３】本発明の一実施形態に係る浄化器の第一変形例を示す図である。
【図４】本発明の一実施形態に係る浄化器の第二変形例を示す図である。
【図５】本発明の一実施形態に係る浄化器の第三変形例を示す図である。
【図６】本発明の一実施形態に係る浄化器に設けられた偏流抑制板の変形例を示す図である。
【図７】第一参考例に係る浄化器の縦断面図である。
【図８】第二参考例に係る浄化器の横断面図である。
【図９】従来例に係る浄化器の斜視図である。
【図１０】図９に示される浄化器の縦断面図である。
【図１１】本発明の一実施形態に係る浄化器と従来例に係る浄化器との比較実験に関する実験条件を示す表である。
【図１２】比較実験に使用する偏流抑制板の内径及び外径を示す図である。
【図１３】比較実験に使用する本発明の一実施形態に係る浄化器と従来例に係る浄化器を示す図である。
【図１４】比較実験結果を示す表である。
【図１５】比較実験結果を示すグラフである。
【発明を実施するための形態】
【００２３】
以下、図面を参照しながら、本発明の一実施形態について説明する。
【００２４】
図１，図２に示されるように、本発明の一実施形態に係る浄化器１０は、容器１２と、浄化剤１４と、偏流抑制部の一例である偏流抑制板１６とを備えている。
【００２５】
容器１２は、一例として、円筒状の周壁部１７と、この周壁部１７の軸方向両端側を塞ぐ一対の端部１８，２０とを有する断面円形の筒体により形成されている。この容器１２における一方の端部１８には、入口部２２が形成されており、容器１２における他方の端部２０には、出口部２４が形成されている。この入口部２２及び出口部２４は、容器１２の軸方向に沿って延びる管状に形成されており、容器１２の中心軸上に設けられている。なお、図１では、容器１２の内部の浄化剤１４が見えるように容器１２の一部が切り欠かれた状態で表示されている。後に説明する図３，図４，図５，図９においても同様である。
【００２６】
浄化剤１４は、例えば、粒状物、又は、柱状のブロック等の集合体であり、容器１２の内部に充填されている。この浄化剤１４は、容器１２の内部における入口部２２と出口部２４との間に配置されている。図２に示されるように、容器１２の内部には、容器１２の軸方向に離間する一対の保持部材２６，２８が設けられている。各保持部材２６，２８は、円環状の板材３０と、この板材３０の内側に設けられたメッシュ３２とを有しており、浄化剤１４は、この一対の保持部材２６，２８によって容器１２の軸方向の両側から保持されている。一対の保持部材２６，２８は、容器１２の軸方向両側の端部１８，２０とそれぞれ離間されており、これにより、入口部２２と浄化剤１４との間、及び、浄化剤１４と出口部２４との間には、隙間３４，３６がそれぞれ設けられている。
【００２７】
そして、この浄化器１０では、入口部２２を通じて容器１２の内部に流体が流入し、この流入した流体は、容器１２の内部を流れる際に浄化剤１４との間で浄化反応をし、その後、出口部２４を通じて容器１２の外部に排出される。この浄化剤１４を備えた浄化器１０は、例えば、都市ガスを利用した燃料電池システムにおける前処理段階の脱硫器（常温吸着脱硫器）として好適に用いられるものであり、浄化器１０が脱硫器として用いられる場合、浄化剤１４は、脱硫剤とされる。この脱硫剤としては、例えば、銀ゼオライトが用いられる。
【００２８】
偏流抑制板１６は、後に詳述する如く容器１２の内部における偏流を抑制するためのものである。この偏流抑制板１６は、浄化剤１４における入口部２２側の端部１４Ａと出口部２４側の端部１４Ｂとの間に配置されており、より具体的には、浄化剤１４における入口部２２側の端部１４Ａと出口部２４側の端部１４Ｂとの間の中央部に配置されている。
【００２９】
この偏流抑制板１６は、容器１２とは別体である円環状の板材により形成されており、容器１２の軸方向（容器１２の内部における流体の流れの方向）が板厚方向となるように周壁部１７の内側に組み付けられている。そして、この偏流抑制板１６は、周壁部１７の内側に組み付けられた状態において、周壁部１７から容器１２の内側に突出すると共に、容器１２の周方向に沿って環状に延びている。なお、この偏流抑制板１６は、例えば、平板の金属板を打抜き加工することにより形成され、周壁部１７の内側に嵌合されるか、又は、溶接等により周壁部１７の内側に固定される。
【００３０】
また、この偏流抑制板１６は、より好適には、浄化剤１４を通過する流体の流速分布（特に、偏流抑制板１６よりも下流側において浄化剤１４を通過する流体の流速分布）が均一になるように、周壁部１７からの突出量が設定される。この周壁部１７からの偏流抑制板１６の突出量は、入口部２２から流入する流体の平均流速、平均流量、及び、容器１２の断面積等に基づいて設定される。浄化剤１４を通過する流体の流速分布が均一であることは、例えばシミュレーションや浄化剤１４による反応促進状態等を調べることにより把握可能である。
【００３１】
なお、この偏流抑制板１６を備えた浄化器１０において、例えば、一方の端部１８は、容器１２の本体部分を構成する周壁部１７及び他方の端部２０とは別体の蓋材とされる。そして、この浄化器１０は、次の要領で組み立てられる。すなわち、蓋材とされた一方の端部１８が周壁部１７から取り外された状態で、周壁部１７の内側に浄化剤１４の半分の量が流し込まれる。次いで、周壁部１７の内側に偏流抑制板１６が取り付けられ、その後、周壁部１７の内側に浄化剤１４の残りの量が流し込まれる。そして、一方の端部１８が周壁部１７に取り付けられることにより浄化器１０は組み立てられる。
【００３２】
次に、本発明の一実施形態の作用及び効果について説明する。
【００３３】
本発明の一実施形態に係る作用及び効果を明確にするために、先ず従来例について説明する。図９，図１０には、従来例に係る浄化器７０が示されている。この従来例に係る浄化器７０において、上述の本発明の一実施形態に係る浄化器１０と同様の構成については同一の符号を用い、その説明を省略する。この従来例に係る浄化器７０は、上述の本発明の一実施形態に係る浄化器１０から偏流抑制板１６が省かれた構成とされている。
【００３４】
しかしながら、この従来例に係る浄化器７０においては、粒状剤等により構成された浄化剤１４と容器１２の周壁部１７との間に隙間が形成されるため、容器１２の内部においては周壁部１７側（容器１２の外径側）の方が容器１２の中心側よりも流体が流れやすくなる（流通抵抗が低くなる）。このため、図１０に示されるように、容器１２の周壁部１７側における流体の流速Ｖａが容器１２の中心側における流体の流速Ｖｂよりも高くなり、容器１２の内部において偏流が生じる虞がある。特に、この容器１２の内部における偏流は、容器１２の軸方向中央部よりも下流側において顕著となる。
【００３５】
また、このように容器１２の内部において偏流が生じると、容器１２の中心側よりも容器１２の周壁部１７側において浄化剤１４による浄化反応が促進される。図１０では、浄化剤１４のうち浄化反応を行えなくなった領域は濃いドットで示されており、浄化剤１４のうち浄化反応可能な領域は薄いドットで示されている。そして、このような浄化器７０においては、容器１２の周壁部１７側において浄化剤１４による浄化反応がされなくなったタイミング（破過したタイミング）で浄化器７０が寿命を迎えるので、本来の性能から期待されるよりも浄化器７０の寿命が短くなる虞がある。
【００３６】
これに対し、図２に示される本実施形態に係る浄化器１０によれば、浄化剤１４における入口部２２側の端部１４Ａと出口部２４側の端部１４Ｂとの間には、偏流抑制板１６が配置されている。この偏流抑制板１６は、容器１２の周壁部１７から容器１２の内側に突出すると共に、容器１２の周方向に沿って設けられている。従って、この偏流抑制板１６によって容器１２の周壁部１７側（外径側）における流体の流れを抑制することができるので、容器１２の周壁部１７側における流体の流速Ｖａを容器１２の中心側における流体の流速Ｖｂに近づけることができる。これにより、容器１２の内部における偏流を抑制することができるので、容器１２の周壁部１７側と中心側とで同様に浄化剤１４による浄化反応を行わせることができる。この結果、偏流抑制板１６を備えない従来の浄化器よりも浄化器１０の寿命を伸長させることができる。
【００３７】
特に、偏流抑制板１６は、浄化剤１４を通過する流体の流速分布（より具体的には、偏流抑制板１６よりも下流側において浄化剤１４を通過する流体の流速分布）が均一になるように、周壁部１７からの突出量が設定される。従って、これにより、浄化剤１４の全体を使い切ることができるので、浄化器１０の寿命をより効果的に伸長させることができる。
【００３８】
また、偏流抑制板１６は、容器１２の周方向に沿って環状に延びている。従って、容器１２の周方向に亘って容器１２の周壁部１７側における流体の流れを抑制することができるので、このことによっても、容器１２の内部における偏流をより効果的に抑制することができる。
【００３９】
しかも、偏流抑制板１６は、容器１２の軸方向（容器１２の内部における流体の流れの方向）を板厚方向とする板状に形成されている。従って、偏流抑制板１６の設置スペースが容器１２の軸方向に拡がることを抑制することができる。これにより、容器１２が軸方向に大型化することを抑制することができる。また、容器１２の周壁部１７に沿って流れる流体が偏流抑制板１６に当たった場合には、この流体が周壁部１７から剥離し、容器１２の周壁部１７側を流れる流体の流量が抑えられる。従って、このことによっても、浄化剤１４を通過する流体の流速分布を均一に近づけることができる。
【００４０】
また、偏流抑制板１６は、容器１２と別体とされているので、容器１２の製造を容易にすることができる（偏流抑制板１６を含む容器１２の製造が複雑化することを抑制することができる）。
【００４１】
また、上述の通り、浄化器１０の組立工程においては、周壁部１７の内側に浄化剤１４の半分の量を流し込んだ状態で偏流抑制板１６を周壁部１７の内側に取り付ければ良いので、偏流抑制板１６を有しない従来の浄化器７０と同等の手順で浄化器１０を組み立てることができる。これにより、偏流抑制板１６を有しない従来の浄化器７０と比べてコストアップすることを抑制することができる。
【００４２】
次に、本発明の一実施形態の変形例について説明する。
【００４３】
上記実施形態において、浄化器１０は、例えば、燃料電池システムにおける脱硫器（常温吸着脱硫器）として好適に用いられるものとされていたが、脱硫器以外のもの（例えば、加熱脱硫器や水素化脱硫器などの他に触媒器など浄化器全般）でも良い。また、浄化器１０は、常温で使用されるものでも良く、又は、高温で使用されるものでも良い。また、浄化剤１４も、脱硫剤以外の材料でも良い。また、浄化器１０が常温で使用される場合、偏流抑制板１６は、ステンレス鋼で形成されても良く、プラスチックや紙などで形成されても良い。また、浄化器１０が高温で使用される場合、偏流抑制板１６は、ステンレス鋼で形成されても良い。また、浄化器１０は、気体だけでなく液体を浄化する構成とされていても良い。また、浄化器１０が液体を浄化する構成である場合に、浄化剤１４として、例えばイオン交換樹脂が用いられても良い。
【００４４】
また、容器１２は、断面円形状に形成されていたが、断面円形以外の形状（例えば、四角形や多角形や楕円など）で形成されていても良い。また、容器１２は、入口部２２と出口部２４とを結ぶ方向に真っ直ぐに形成されていたが、真っ直ぐな形状以外の形状（例えば、屈曲された形状）で形成されていても良い。
【００４５】
また、容器１２の軸方向両側の端部１８，２０と浄化剤１４との間には、隙間３４，３６がそれぞれ設けられていたが、この隙間３４，３６は設けられていなくても良い（浄化剤１４は容器１２の軸方向両側の端部１８，２０と接触していても良い）。
【００４６】
また、入口部２２及び出口部２４は、容器１２の中心軸上に設けられていたが、図３に示されるように、入口部２２及び出口部２４が容器１２の中心軸から外れた位置（偏心した位置）に設けられていても良い。また、入口部２２及び出口部２４の一方が容器１２の中心軸上に設けられ、入口部２２及び出口部２４の他方が容器１２の中心軸から外れた位置（偏心した位置）に設けられていても良い。また、入口部２２及び出口部２４は、周壁部１７の軸方向一方側及び他方側にそれぞれ設けられていても良い。また、この場合に、入口部２２及び出口部２４は、周壁部１７の径方向外側に向けて延出されていても良い。
【００４７】
また、偏流抑制板１６は、浄化剤１４における入口部２２側の端部１４Ａと出口部２４側の端部１４Ｂとの間の中央部に配置されていたが、浄化剤１４における入口部２２側の端部１４Ａと出口部２４側の端部１４Ｂとの間であれば、どの位置に配置されていても良い。
【００４８】
また、偏流抑制板１６は、容器１２の周方向に沿って延びる円環板状に形成されていたが、容器１２の内部には、それぞれ容器１２の周壁部１７から容器１２の内側に突出する複数の舌片状の偏流抑制板が設けられ、この複数の偏流抑制板が容器１２の周方向に沿って環状に配列されていても良い。
【００４９】
また、偏流抑制板１６は、浄化器１０の縦断面視において容器１２の周壁部１７に対して垂直に形成されていたが、容器１２の周壁部１７に対して垂直な方向に対して入口部２２側又は出口部２４側に傾斜していても良い。
【００５０】
また、容器１２の内部には、一枚の偏流抑制板１６が設けられていたが、図４に示されるように、容器１２の内部には、容器１２の軸方向（容器１２の内部における流体の流れの方向）に間隔を空けて複数の偏流抑制板１６が設けられていても良い。また、この場合に、複数の偏流抑制板１６の枚数は、３枚以上でも良い。このように、容器１２の軸方向に間隔を空けて複数の偏流抑制板１６が設けられていると、容器１２の軸方向における複数の位置で容器１２の周壁部１７側における流体の流れを偏流抑制板１６により抑制することができる。これにより、容器１２の軸方向に亘って容器１２の内部における偏流を抑制することができる。
【００５１】
また、上記実施形態において、偏流抑制板１６は、容器１２と別体とされていたが、容器１２と一体に形成されていても良い。
【００５２】
また、容器１２の内部には、容器１２の内部における偏流を抑制するために、板状の偏流抑制板１６が設けられていたが、板状以外の形状で形成された偏流抑制部が設けられていても良い。
【００５３】
また、例えば、図５に示されるように、容器１２の軸方向の中央部に絞り部４４が形成されることにより、容器１２の周壁部１７から容器１２の内側に突出すると共に容器１２の周方向に沿って環状に延びる偏流抑制部４６が形成されても良い。このように、容器１２と一体に偏流抑制部４６が形成されていると、部品点数の増加を抑制することができると共に、製造工程の増加を抑制することができる。
【００５４】
また、上記実施形態において、円環状に形成された偏流抑制板１６の内側には、図６に示されるように、メッシュ４８が設けられていても良い。このように偏流抑制板１６の内側にメッシュ４８が設けられていると、このメッシュ４８により上述の浄化剤１４（図２等参照）の流動を抑制することができる。
【００５５】
なお、上記複数の変形例のうち組み合わせ可能な変形例は、適宜組み合わされて実施可能である。
【００５６】
次に、本発明の一実施形態に係る浄化器と従来例に係る浄化器との比較実験について説明する。
【００５７】
図１１には、比較実験に関する実験条件が示されている。本比較実験では、吸着剤、吸着剤容量、試験管径（容器の径）、流体として使用するガス、ガス流量、ＳＶ（空間速度）、ＬＶ（線速度）、設定温度、設定露点、設定ＴＢＭ濃度、設定ＤＭＳ濃度を図１１に示される通りとする。また、図１２に示される通り、本発明の一実施形態に係る浄化器に用いられる偏流抑制板の内径及び外径は、それぞれ９．４ｍｍ、１５．４ｍｍとする。図１３に示される通り、本比較実験において、本発明の一実施形態に係る浄化器としては、偏流抑制板が１枚のものと、偏流抑制板が２枚のものを用いる。また、従来例に係る浄化器としては、偏流抑制板を備えないものを用いる。
【００５８】
図１４，図１５には、比較実験結果が示されている。図１４に示されるように、偏流抑制板を備える場合（本発明の一実施形態）には、偏流抑制板を備えない場合（従来例）に比して破過時間及び全硫黄吸着量が増加する。また、偏流抑制板が２枚の場合には、偏流抑制板が１枚の場合に比して全硫黄吸着量及び破過時間が増加する。
【００５９】
このように、本発明の一実施形態によれば、偏流抑制板を備えない従来例に係る浄化器よりも浄化器の寿命が伸長されることが明らかとなった。
【００６０】
以上、本発明の一実施形態について説明したが、本発明は、上記に限定されるものでなく、上記以外にも、その主旨を逸脱しない範囲内において種々変形して実施可能であることは勿論である。
【００６１】
次に、参考例について説明する。
【００６２】
［第一参考例］
図７に示される第一参考例に係る浄化器５０は、上述の本発明の一実施形態に係る浄化器１０に対して偏流抑制板１６を有しない代わりに次のように構造が変更されている。
【００６３】
すなわち、容器１２の内部に充填された浄化剤１４は、大きさの異なる浄化剤５４Ａ，５４Ｂにより構成された中心層５１及び外側層５２を有している。中心層５１は、容器１２の中心側に配置されており、大粒の浄化剤５４Ａによって構成されることで流通抵抗が低くなっている。外側層５２は、中心層５１に対する容器１２の周壁部１７側（外径側）に配置されており（環状に設けられており）、大粒の浄化剤５４Ａよりも小粒の浄化剤５４Ｂによって構成されることで中心層５１よりも流通抵抗が高くなっている。
【００６４】
なお、この浄化器５０では、例えば、容器１２の内側に円筒状の治具が挿入され、この治具の内側に大粒の浄化剤５４Ａが流し込まれると共に、治具の外側に小粒の浄化剤５４Ｂが流し込まれ、その後、容器１２から治具が引き抜かれることにより容器１２の内側に中心層５１及び外側層５２が形成される。
【００６５】
この第一参考例のように、外側層５２の方が中心層５１よりも流通抵抗が低くなっていると、容器１２の周壁部１７側（外径側）における流体の流れを抑制することができるので、容器１２の周壁部１７側における流体の流速Ｖａを容器１２の中心側における流体の流速Ｖｂに近づけることができる。これにより、容器１２の内部における偏流を抑制することができるので、容器１２の周壁部１７側と中心側とで同様に浄化剤１４による浄化反応を行わせることができる。この結果、浄化剤の粒径が均一とされた従来の浄化器よりも浄化器５０の寿命を伸長させることができる。
【００６６】
なお、浄化剤１４を通過する流体の流速分布が均一になるように、中心層５１及び外側層５２の流通抵抗（浄化剤５４Ａ，５４Ｂの粒径や割合等）が設定されていると、浄化剤１４の全体を使い切ることができるので、浄化器５０の寿命をより効果的に伸長させることができる。
【００６７】
［第二参考例］
図８に示される第二参考例に係る浄化器６０は、上述の本発明の一実施形態に係る浄化器１０に対して偏流抑制板１６を有しない代わりに次のように構造が変更されている。
【００６８】
すなわち、容器１２の周壁部１７には、容器１２の内側に突出すると共に容器１２の周方向に並ぶ複数の突起部６２が形成されている。そして、この複数の突起部６２により周壁部１７と浄化剤１４との間の隙間が閉塞されている。
【００６９】
このように、容器１２の周壁部１７から容器１２の内側に突出すると共に容器１２の周方向に並んで設けられた複数の突起部６２により周壁部１７と浄化剤１４との間の隙間が閉塞されていると、容器１２の周壁部１７側（外径側）における流体の流れを抑制することができる。これにより、容器１２の周壁部１７側における流体の流速を容器１２の中心側における流体の流速に近づけることができるので、容器１２の内部における偏流を抑制することができる。この結果、容器１２の周壁部１７側と中心側とで同様に浄化剤１４による浄化反応を行わせることができるので、複数の突起部６２を備えない従来の浄化器よりも浄化器６０の寿命を伸長させることができる。
【００７０】
なお、浄化剤１４を通過する流体の流速分布が均一になるように、複数の突起部６２の形状及び突出量等が設定されていると、浄化剤１４の全体を使い切ることができるので、浄化器６０の寿命をより効果的に伸長させることができる。
【００７１】
続いて、上記第一参考例及び第二参考例から導き出される技術的思想について以下に記載する。
【００７２】
（第一参考例に対応する技術的思想）
入口部及び出口部を有する容器と、
前記容器の中心側に配置された中心層と、前記中心層に対する前記容器の周壁部側に配置され前記中心層よりも流通抵抗が高い外側層とを有すると共に、前記入口部と前記出口部との間に配置された浄化剤と、
を備えた浄化器。
【００７３】
（第二参考例に対応する技術的思想）
入口部及び出口部を有する容器と、
前記容器の内部に充填され、前記入口部と前記出口部との間に配置された浄化剤と、
前記容器の周壁部から前記容器の内側に突出すると共に、前記容器の周方向に並んで設けられ、前記容器の周壁部と前記浄化剤との間の隙間を閉塞する複数の突起部と、
を備えた浄化器。
【符号の説明】
【００７４】
１０…浄化器、１２…容器、１４…浄化剤、１４Ａ…浄化剤における入口部側の端部、１４Ｂ…浄化剤における出口部側の端部、１６…偏流抑制板（偏流抑制部の一例）、１７…周壁部、１８…容器における軸方向一方側の端部、２０…容器における軸方向他方側の端部、２２…入口部、２４…出口部、２６，２８…保持部材、３０…板材、３２…メッシュ、３４，３６…隙間、４４…絞り部、４６…偏流抑制部、４８…メッシュ、５０…浄化器、５１…中心層、５２…外側層、５４Ａ，５４Ｂ…浄化剤、６０…浄化器、６２…突起部
【図１】
2015136656.tif 000003
【図２】
2015136656.tif 000004
【図３】
2015136656.tif 000005
【図４】
2015136656.tif 000006
【図５】
2015136656.tif 000007
【図６】
2015136656.tif 000008
【図７】
2015136656.tif 000009
【図８】
2015136656.tif 000010
【図９】
2015136656.tif 000011
【図１０】
2015136656.tif 000012
【図１１】
2015136656.tif 000013
【図１２】
2015136656.tif 000014
【図１３】
2015136656.tif 000015
【図１４】
2015136656.tif 000016
【図１５】
2015136656.tif 000017